(57)【要約】【課題】電話機の送受話器、携帯電話機又は小型電子機器等を手に持つ必要がなく、任意の位置及び角度に容易に保持することができると共に、安価に製作できる電話機の送受話器、携帯電話機及び小型電子機器等保持具を提供する。【解決手段】方形の台板２を有するホルダー本体３と、台板２上に載置される電話機の送受話器、携帯電話機又は小型電子機器等を台板２の前後左右方向から保持する前後左右押え部材４，４…と、他の物体に取り付けるため、ホルダー本体３の背面に設けられた取付部５とを備えた電話機の送受話器、携帯電話機及び小型電子機器等保持具１を提供する。前記前後左右押え部材４，４…は、夫々、台板２背面に、前後左右に摺動自在に取り付けられる下部部材６と、下部部材６の先端部から立設し、台板２の四辺端近傍から台板２上方まで突設する上部部材７とを備えている。【選択図】図１
2009253436.tif 000002
【特許請求の範囲】
【請求項１】
方形の台板を有するホルダー本体と、
前記台板上に載置される電話機の送受話器、携帯電話機又は小型電子機器等を前記台板の前後左右方向から保持する前後左右押え手段と、
他の物体に取り付けるため、前記ホルダー本体の背面に設けられた取付部とを備えたことを特徴とする電話機の送受話器、携帯電話機及び小型電子機器等保持具。
【請求項２】
前記前後左右押え手段は、夫々、前記台板背面に、前後左右に摺動自在に取り付けられる下部部材と、前記下部部材の先端部から立設し、前記台板の四辺端近傍から前記台板上方まで突設する上部部材とを備えることを特徴とする請求項１記載の電話機の送受話器、携帯電話機及び小型電子機器等保持具。
【請求項３】
前記前後左右押え手段は、夫々、電話機の送受話器、携帯電話機又は小型電子機器等を保持すべく付勢されていることを特徴とする請求項１又は２記載の電話機の送受話器、携帯電話機及び小型電子機器等保持具。
【請求項４】
前記前後左右押え手段は、夫々、電話機の送受話器、携帯電話機又は小型電子機器等を保持すべく前記上部部材にパッドを備えていることを特徴とする請求項１乃至３のうちいずれか一に記載の電話機の送受話器、携帯電話機及び小型電子機器等保持具。
【請求項５】
前記左右押え手段の前記上部部材は、前記下部部材先端部に立設される立設部と、前記立設部の上端に前後方向に延びて形成される水平部とを備え、前記水平部には、前端近傍と、後端近傍にパッドが設けられていることを特徴とする請求項１乃至４のうちいずれか一に記載の電話機の送受話器、携帯電話機及び小型電子機器等保持具。
【請求項６】
前記左右押え手段の下部部材は、前記台板背面に取り付けられた１つのピニオンに前又は後方向から噛合するラック部が夫々形成され、ラックとピニオンの機能により、相互に左右反対方向に同長さ摺動するように形成されていることを特徴とする請求項１乃至５のうちいずれか一に記載の電話機の送受話器、携帯電話機及び小型電子機器等保持具。
【請求項７】
前記ホルダー本体は、前記台板の四辺端から垂設される前後左右側板と、前記前後左右側板の下端に取り付けられる背面板とを備え、前記前後左右押え手段の下部部材は、前記前後左右側板を貫通して出入するように形成されていることを特徴とする請求項１乃至６のうちいずれか一に記載の電話機の送受話器、携帯電話機及び小型電子機器等保持具。
【請求項８】
基台上にフレキシブルチューブ体を立設したスタンドに於ける前記フレキシブルチューブ体上端に前記取付部を着脱自在に取り付けたことを特徴とする請求項１乃至７のうちいずれか一に記載の電話機の送受話器、携帯電話機及び小型電子機器等保持具。
【請求項９】
利用者の胸部に固定される胸固定板と、前記胸固定板の前面部に下端部が固着されるフレキシブルチューブ体と、前記胸固定板の上端部に設けられ利用者の首に掛ける首紐と、前記胸固定板の下端部に設けられ利用者の胸に巻きつけるための胸紐とを備え、前記首紐と前記胸紐によって前記胸固定板が利用者の胸部に固定されるように構成された胸固定ユニットに於ける前記フレキシブルチューブ体の上端に、前記取付部を着脱自在に取り付けたことを特徴とする請求項１乃至７のうちいずれか一に記載の電話機の送受話器、携帯電話機及び小型電子機器等保持具。
【発明の詳細な説明】
【技術分野】
【０００１】
この発明は、電話機の送受話器、携帯電話機、小型電子計算機、小型電子辞典又はその他小型電子機器等を容易に、且つ、長時間保持することができる電話機の送受話器、携帯電話機及び小型電子機器等保持具に関する。
【背景技術】
【０００２】
現在、電話機は日常生活における必須機器であり、以前からの据え置き型に比べ携帯型の普及度が著しい。
一般に、据え置き型、所謂、固定電話では本体にコード接続されている送受話器を手に持って通話し、或いは本体と無線方式で連携している子機を手に持って通話し、又、携帯型では本体と送受話器が一体となっているため、本体と送受話器部分を同時に手に持って通話する。
【０００３】
このような通話時に於いては、電話機の送受話器又は携帯電話機を手に持って使用するため、片手がふさがり、両手での他動作は不可能である。
又、長時間の通話ともなれば身体疲労度も高くなり、特に、高齢者、子供、病弱な人等にとっては通話時の疲労も大きく、疲労によって通話不能となる虞もある。
更に、身体障害によって、送受話器を手に持てない人も存在する。
【０００４】
そこで、電話機の送受話器又は携帯電話機等の保持具等が必要とされるが、電話機の送受話器又は携帯電話機を保持する保持具等は、すでに公知である。
然しながら、電話機の送受話器又は携帯電話機を保持する公知の器具は、利便性や、生産性等の点でまだ問題があり、広く普及していない。
【０００５】
此種の先行文献として例えば特許文献１がある。
特許文献１には、屈曲自在に調整しうる金属製の螺旋状フレキシブル管と、長さを調整しうる延長管とを組み合わせ、螺旋状フレキシブル管の先端に携帯電話機収納用ホルダーが付いた携帯電話機保持具が記載されている。
【特許文献１】実用新案登録第３１０５４５４号公報
【発明の開示】
【発明が解決しようとする課題】
【０００６】
前述したように、従来の電話機の送受話器又は携帯電話機を保持する器具は、利便性や、生産性等の点でまだ問題があり、広く普及していない。
そこで、電話機の送受話器又は携帯電話機を保持する器具の利便性を高めると共に、生産性を向上させた器具が望まれている。
更に、電話機の送受話器又は携帯電話機に限らず、小型電子計算機、小型電子辞典等の小型電子機器類を保持することができる保持具も望まれている。
尚、特許文献１に開示された携帯電話機保持具は、携帯電話機収納用ホルダーに携帯電話機を載置するものであるため、携帯電話機の位置や高さの調節は比較的容易であるが、携帯電話機の角度や姿勢の調節については限られた範囲内に制限され、例えば、受話器側を耳にぴったり当てることができない等、任意の角度や姿勢にすることができない問題がある。
【０００７】
以上の現状に鑑み、本発明は、電話機の送受話器、携帯電話機又は小型電子機器等を手に持つ必要がなく、任意の位置、角度及び姿勢に容易に保持することができると共に、安価に製作できる電話機の送受話器、携帯電話機及び小型電子機器等保持具を提供することを目的とする。
【課題を解決するための手段】
【０００８】
上記の課題を解決すべく、本発明は以下の構成を提供する。
請求項１に係る発明は、方形の台板を有するホルダー本体と、
前記台板上に載置される電話機の送受話器、携帯電話機又は小型電子機器等を前記台板の前後左右方向から保持する前後左右押え手段と、
他の物体に取り付けるため、前記ホルダー本体の背面に設けられた取付部とを備えたことを特徴とする電話機の送受話器、携帯電話機及び小型電子機器等保持具を提供するものである。
【０００９】
請求項２に係る発明は、前記前後左右押え手段は、夫々、前記台板背面に、前後左右に摺動自在に取り付けられる下部部材と、前記下部部材の先端部から立設し、前記台板の四辺端近傍から前記台板上方まで突設する上部部材とを備えることを特徴とする請求項１記載の電話機の送受話器、携帯電話機及び小型電子機器等保持具を提供するものである。
【００１０】
請求項３に係る発明は、前記前後左右押え手段は、夫々、電話機の送受話器、携帯電話機又は小型電子機器等を保持すべく付勢されていることを特徴とする請求項１又は２記載の電話機の送受話器、携帯電話機及び小型電子機器等保持具を提供するものである。
【００１１】
請求項４に係る発明は、前記前後左右押え手段は、夫々、電話機の送受話器、携帯電話機又は小型電子機器等を保持すべく前記上部部材にパッドを備えていることを特徴とする請求項１乃至３のうちいずれか一に記載の電話機の送受話器、携帯電話機及び小型電子機器等保持具を提供するものである。
【００１２】
請求項５に係る発明は、前記左右押え手段の前記上部部材は、前記下部部材先端部に立設される立設部と、前記立設部の上端に前後方向に延びて形成される水平部とを備え、前記水平部には、前端近傍と、後端近傍にパッドが設けられていることを特徴とする請求項１乃至４のうちいずれか一に記載の電話機の送受話器、携帯電話機及び小型電子機器等保持具を提供するものである。
【００１３】
請求項６に係る発明は、前記左右押え手段の下部部材は、前記台板背面に取り付けられた１つのピニオンに前又は後方向から噛合するラック部が夫々形成され、ラックとピニオンの機能により、相互に左右反対方向に同長さ摺動するように形成されていることを特徴とする請求項１乃至５のうちいずれか一に記載の電話機の送受話器、携帯電話機及び小型電子機器等保持具を提供するものである。
【００１４】
請求項７に係る発明は、前記ホルダー本体は、前記台板の四辺端から垂設される前後左右側板と、前記前後左右側板の下端に取り付けられる背面板とを備え、前記前後左右押え手段の下部部材は、前記前後左右側板を貫通して出入するように形成されていることを特徴とする請求項１乃至６のうちいずれか一に記載の電話機の送受話器、携帯電話機及び小型電子機器等保持具を提供するものである。
【００１５】
請求項８に係る発明は、基台上にフレキシブルチューブ体を立設したスタンドに於ける前記フレキシブルチューブ体上端に前記取付部を着脱自在に取り付けたことを特徴とする請求項１乃至７のうちいずれか一に記載の電話機の送受話器、携帯電話機及び小型電子機器等保持具を提供するものである。
【００１６】
請求項９に係る発明は、利用者の胸部に固定される胸固定板と、前記胸固定板の前面部に下端部が固着されるフレキシブルチューブ体と、前記胸固定板の上端部に設けられ利用者の首に掛ける首紐と、前記胸固定板の下端部に設けられ利用者の胸に巻きつけるための胸紐とを備え、前記首紐と前記胸紐によって前記胸固定板が利用者の胸部に固定されるように構成された胸固定ユニットに於ける前記フレキシブルチューブ体の上端に、前記取付部を着脱自在に取り付けたことを特徴とする請求項１乃至７のうちいずれか一に記載の電話機の送受話器、携帯電話機及び小型電子機器等保持具を提供するものである。
【発明の効果】
【００１７】
本発明の請求項１記載の発明によれば、ホルダー本体の背面に設けられた取付部を、台や、スタンド等の任意の物体に取り付けることにより、電話機の送受話器、携帯電話機、小型電子機器等を手に持つ必要がなく、容易に保持することができると共に、安価に製作できる電話機の送受話器、携帯電話機及び小型電子機器等保持具を提供することができる。
これにより、両手での他動作が可能となり、長時間の通話でも疲れることがなく、又、高齢者、子供、病弱な人、身体障害者等の通話を容易にし、又は、可能にすることができる。
更に、小型電子機器等を保持する場合は、その操作が容易である。
【００１８】
請求項２記載の発明によれば、請求項１記載の発明の効果に加え、摺動自在の下部部材が台板背面に配置されるので、コンパクトな構成とすることができる。
【００１９】
請求項３記載の発明によれば、請求項１又は２記載の発明の効果に加え、押え手段は、付勢されているので、電話機の送受話器、携帯電話機又は小型電子機器等を確実に保持できると共に、それらの機器を利用又は操作し易い角度や姿勢に設定できる。
【００２０】
請求項４記載の発明によれば、請求項１乃至３のうちいずれか一に記載の発明の効果に加え、前記押え手段は、上部部材にパッドを備えているので、電話機の送受話器、携帯電話機又は小型電子機器等を傷つけることなく安全に保持することができる。
【００２１】
請求項５記載の発明によれば、請求項１乃至４のうちいずれか一に記載の発明の効果に加え、水平部の前端近傍と後端近傍にパッドが設けられているので、機器を安定して保持することができる。
【００２２】
請求項６記載の発明によれば、請求項１乃至５のうちいずれか一に記載の発明の効果に加え、左右押え手段の下部部材は、ラックとピニオンの機能により、左右押え手段のいずれかを開閉方向に動かすと、反対方向の押え手段も自動的に同じ開閉方向に動くことになり、片手で操作できる等、操作の利便性が向上する。
【００２３】
請求項７記載の発明によれば、請求項１乃至６のうちいずれか一に記載の発明の効果に加え、ホルダー本体の背面を被蔽して、作動部分の露出による事故の発生を防止すると共に、ホルダー本体の背面の外観を向上させることができる。
【００２４】
請求項８記載の発明によれば、請求項１乃至７のうちいずれか一に記載の発明の効果に加え、スタンド及び押え手段によって機器等を任意の位置、角度、姿勢に保持することができる。
【００２５】
請求項９記載の発明によれば、請求項１乃至７のうちいずれか一に記載の発明の効果に加え、胸固定ユニット及び押え手段によって機器等を利用者の体の周囲の任意の位置、角度、姿勢に保持することができる。
【発明を実施するための最良の形態】
【００２６】
以下、実施例を示した図面を参照しつつ本発明の実施の形態を説明する。
図１及び図２に於いて、１は、本発明の第１実施例の電話機の送受話器、携帯電話機、小型電子計算機及び小型電子辞典等の小型電子機器類を保持するための第１の保持具であり、第１の保持具１は、方形の台板２を有するホルダー本体３と、台板２上に載置される電話機の送受話器、携帯電話機又は小型電子機器等を台板２の前後左右方向から保持する前後左右押え手段である前後左右押え部材４，４…と、他の物体に取り付けるため、ホルダー本体３の背面に設けられた取付部５とを備えている。
【００２７】
そして、前記前後左右押え部材４，４…は、夫々、台板２背面に、前後左右に摺動自在に取り付けられる下部部材６と、下部部材６の先端部から立設し、台板２の四辺端近傍から台板２上方まで突設する上部部材７とを備えている。
又、左右押え部材４，４は、図３及び図４に示すように、左右方向に延びて形成された下部部材６，６と、下部部材６，６の上方に形成される上部部材７，７とから構成され、上部部材７は、下部部材６先端部に立設される立設部７ａと、立設部７ａの上端に前後方向に延びて形成される水平部７ｂとからなり、水平部７ｂの外周部には、前端近傍と、後端近傍に綿、布、発泡樹脂又はゴム等から成るパッド１０，１０が設けられている。
【００２８】
更に、下部部材６，６には、前記台板２の背面に回転自在に取り付けられたピニオン１１に前後方向から噛合するラック部１２，１２が夫々形成され、ピニオン１１とラック部１２，１２とにより、左右押え部材４，４は相互に左右反対方向に同長さ摺動するように形成されている。そして、前記ピニオン１１とラック部１２，１２の機能により、左右押え部材４，４は、何れか一方を外側に開くと、他方も同長さ開くため、左右押え部材４，４を開く場合、片手での操作が可能になる。
【００２９】
更に、下部部材６，６は、トーションバネ等のスプリング１３によって、内方に付勢されている。詳細には、スプリング１３の中心部が台板２の背面から下方に突出する突出棒体２ａに巻回され、スプリング１３の一方の腕の端部が後述する側板１４から突設する係止部１４ａに回転自在に軸支され、スプリング１３の他方の腕の端部が下部部材６に開穿された孔６ａに回転自在に嵌挿されている。尚、前述の説明に於いて、付勢手段として、トーションバネ等のスプリングを用いたが、それに限定されるものではなく、コイルスプリング、ゴムバンド等の他の付勢手段を用いることも可能である。
【００３０】
又、前後押え部材４，４は、前後方向に延びて形成された下部部材６，６と、下部部材６，６の上方に形成される上部部材７，７とから構成され、上部部材７は、下部部材６先端部に立設される立設部７ａと、立設部７ａの上端に左右方向に延びて形成される水平部７ｂとからなり、水平部７ｂの外周部には、綿、布、発泡樹脂又はゴム等から成るパッド１０，１０が設けられている。
【００３１】
そして、ホルダー本体３は、台板２の四辺端から垂設される前後左右側板１４，１４…と、前後左右側板１４，１４…の下端に取り付けられて、台板２の背面側を被蔽する背面板１５とを備え、前後左右押え部材４，４…の下部部材６，６…は、前後左右側板１４，１４…を貫通して出入するように形成されている。
又、前記取付部５は、背面板１５の背面中央部に下方に突設するように設けられている。
【００３２】
而して、前記第１の保持具１の使用方法について説明すると、前記取付部５を任意の台や、支柱等の上に開穿した穴、又は、既製の台や、既製のスタンド等の上端に開穿された穴内に挿入してボルト等によって第１の保持具１を固定し、前記押え部材４，４…をスプリング１３，１３…に抗して拡開した状態で、台板２上に電話機の送受話器、携帯電話機又は小型電子機器等を載置し、押え部材４，４…を解放してスプリング１３，１３…によって付勢させれば、下部部材６，６…が夫々内方に向かって摺動し、電話機の送受話器、携帯電話機又は小型電子機器等は押え部材４，４…のパッド１０，１０…によって保持される。
前記取付部５を取り付けた台、支柱、又は、スタンドの位置又は角度が調整可能な場合は、それによって、第１の保持具１も位置又は角度が変化し、第１の保持具１が傾いた場合でも、電話機の送受話器、携帯電話機又は小型電子機器等は、押え部材４，４…によって、落下又はずれたりすることなく確実に保持される。図５は、第１の保持具１によって、小型電子計算機１６を保持した例を示している。
【００３３】
図６に於いて、３１は、本発明の第２実施例の第２の保持具であり、第２の保持具３１は、基台３２上にフレキシブルチューブ体３３を立設したスタンド３４に於けるフレキシブルチューブ体３３の上端に、前記第１の保持具１を取り付けたものであり、図７に示すように、フレキシブルチューブ体３３の上端には、予め、第１の保持具１の取付部５を取り付けるための穴３５と、取付部５を取付状態に固定自在のノブボルト等の固定具３６が設けてある。尚、前記スタンド３４は、既製品や、既製品を改良したものを用いることも可能である。
【００３４】
第２の保持具３１に於いては、第１の保持具１の台板２上に載置して保持された電話機の送受話器、携帯電話機又は小型電子機器等をスタンド３４によって任意の高さに保持できると共に、スタンド３４位置を移動させたり、フレキシブルチューブ体３３を屈曲変形させることにより、第１の保持具１上に載置して保持された電話機の送受話器、携帯電話機又は小型電子機器等を任意の位置で任意の角度、或いは任意の姿勢に保持することができる。
【００３５】
図８に於いて、４１は、本発明の第３実施例の第３の保持具であり、第３の保持具４１は、利用者の胸部に固定される胸固定板４２と、胸固定板４２の前面部に下端部が固着されるフレキシブルチューブ体４３と、胸固定板４２の上端部に設けられ利用者の首に掛ける首紐４４と、胸固定板４２の下端部に設けられ利用者の胸に巻きつけるための胸紐４５とを備え、首紐４４と胸紐４５によって胸固定板４２が利用者の胸部に固定されるように構成された胸固定ユニット４６を用意し、胸固定ユニット４６に於けるフレキシブルチューブ体４３の上端に、前記第１の保持具１を取り付けたものである。
フレキシブルチューブ体４３の上端部に保持具１を取り付ける構成は、図７に示す第２の保持具３１の構成と同様である。
又、胸固定板４２の前面部にフレキシブルチューブ体４３の下端部が固着される構成は、図９に示すように、胸固定板４２の前面部に受部４７が突設され、受部４７に垂直方向に孔４８が開穿され、一方、フレキシブルチューブ体４３は、下端部が前記孔４８に嵌挿されるようにやや縮径されており、更に、受部４７には、孔４８に嵌挿されたフレキシブルチューブ体４３の下端部を固定自在のノブボルト等の固定具４９が設けられる。
【００３６】
従って、第３の保持具４１に於いては、図１０に示すように、第１の保持具１に載置して保持された携帯電話機５０、又は、電話機の送受話器、小型電子機器類を利用者５１の周囲の任意の位置に保持できると共に、フレキシブルチューブ体４３を屈曲変形させることにより、第１の保持具１上に載置されて保持した携帯電話機５０、又は、電話機の送受話器、小型電子機器類を更に最適な任意の位置で任意の角度、或いは任意の姿勢に保持することができる。例えば、携帯電話機５０、又は、電話機の送受話器であれば、受話器部分を利用者５１の耳にぴったりあてがうことができる。
図１１は、第３の保持具４１によって、携帯電話機５０を保持した例を拡大して示し、図１２は、第３の保持具４１によって、電話機の送受話器５２を保持した例を示している。
尚、本発明の第１〜第３の保持具１、３１，４１は、電話機の送受話器、携帯電話機又は小型電子機器等保持具を保持するためのものであるが、それらに限定されるものではなく、種々の物品を保持することが可能であり、種々の用途に応用できるものである。例えば、身体障害者や、病人等のために必要な種々の物品を保持するために利用することも可能である。
【図面の簡単な説明】
【００３７】
【図１】（ａ）本発明による第１の保持具の平面図である。（ｂ）本発明による第１の保持具の左側面図である。（ｃ）本発明による第１の保持具の後面図である。
【図２】本発明による第１の保持具の斜視図である。
【図３】本発明による第１の保持具の背面分解斜視図である。
【図４】（ａ）本発明による第１の保持具の背面板を外した状態の背面図である。（ｂ）図４（ａ）のＡ−Ａ線断面図である。（ｃ）図４（ａ）のＢ−Ｂ線断面図である。
【図５】本発明による第１の保持具によって小型電子計算機を保持した例を示す平面図である。
【図６】本発明による第２の保持具の斜視図である。
【図７】本発明による第２の保持具のフレキシブルチューブ体の上端に第１の保持具の取付部を取り付けた状態を示す一部切欠拡大側面図である。
【図８】本発明による第３の保持具の分解斜視図である。
【図９】本発明による第３の保持具の胸固定板にフレキシブルチューブ体を取り付けた状態を示す一部切欠拡大側面図である。
【図１０】本発明による第３の保持具を利用者に装着し、第３の保持具に携帯電話を保持した状態を示す斜視図である。
【図１１】本発明による第３の保持具によって携帯電話を保持した例を示す拡大側面図である。
【図１２】本発明による第３の保持具によって電話機の送受話器を保持した例を示す拡大側面図である。
【符号の説明】
【００３８】
１，３１，４１  保持具
２  台板
３  ホルダー本体
５  取付部
６  下部部材
７  上部部材
７ａ  立設部
７ｂ  水平部
１０  パッド
１１  ピニオン
１２  ラック部
１４  側板
１５  背面板
３２  基台
３３，４３  フレキシブルチューブ体
３４  スタンド
４２  胸固定板
４４  首紐
４５  胸紐
４６  胸固定ユニット
５０  携帯電話機
５１  利用者
５２  電話機の送受話器
【図１】
2009253436.tif 000003
【図２】
2009253436.tif 000004
【図３】
2009253436.tif 000005
【図４】
2009253436.tif 000006
【図５】
2009253436.tif 000007
【図６】
2009253436.tif 000008
【図７】
2009253436.tif 000009
【図８】
2009253436.tif 000010
【図９】
2009253436.tif 000011
【図１０】
2009253436.tif 000012
【図１１】
2009253436.tif 000013
【図１２】
2009253436.tif 000014